(57)【要約】【課題】プロテクタの剛性を低下させることなくプロテクタの高さを削減し、太物の線材を収納する場合でもハーネスの配索の自由度を十分に確保しつつ所要の配策経路に確実に案内できるプロテクタを提供する。【解決手段】ハーネスを構成する電線群Ｗの収納が可能な凹部１１を形成するプロテクタ本体１２を備えるプロテクタであって、プロテクタ本体１２には、凹部１１の内底面に対し凹状をなすとともに電線群Ｗの長さ方向に延びる縦溝２８と、凹部１１の内底面に対し電線群Ｗ側に突出するとともに電線群Ｗの長さ方向に延びる縦リブ２６とが形成されている。【選択図】図１
2016046943.tif 000002
【特許請求の範囲】
【請求項１】
ハーネスを構成する線材の収納が可能な凹部を形成するプロテクタ本体を備えるプロテクタであって、
前記プロテクタ本体に、前記凹部の内底面に対し凹状をなすとともに前記線材の長さ方向に延びる溝部分と、前記凹部の内底面に対し前記線材側に突出するとともに前記線材の長さ方向に延びるリブ部分とを形成していることを特徴とするプロテクタ。
【請求項２】
前記リブ部分が、前記プロテクタ本体の前記凹部内で前記溝部分を間に挟んで並列するとともに、前記線材の直径に相当する距離を隔てて互いに離間する一対の線材案内面を有していることを特徴とする請求項１に記載のプロテクタ。
【請求項３】
前記プロテクタ本体が、前記凹部の内底面を形成する底壁部を有しており、
前記底壁部には、前記溝部分および前記リブ部分を間に挟んで前記凹部の前記内底面に両端を開口させるとともに、前記溝部分および前記リブ部分より前記外底面側で前記溝部分および前記リブ部分に対し交差する方向に延びる結束部材挿通路が形成されていることを特徴とする請求項１または請求項２に記載のプロテクタ。
【請求項４】
前記プロテクタ本体の前記凹部が前記線材の長さ方向に延在するとともに、
前記溝部分および前記リブ部分が、前記プロテクタ本体の延在方向における少なくとも一部の長さ領域内に前記延在方向に対し平行に形成されていることを特徴とする請求項１ないし請求項３のいずれか１項に記載のプロテクタ。
【発明の詳細な説明】
【技術分野】
【０００１】
本発明は、ハーネスを構成する線材を収納し保護するプロテクタに関し、特に電源線等のように比較的高曲げ剛性の線材を収納し保護するプロテクタに関する。
【背景技術】
【０００２】
従来、車両等に実装されるワイヤハーネスの電線群をその配索経路に沿って収納し保護するプロテクタが知られている。また、電源線等を含む比較的曲げ剛性の大きいハーネスをその所定の配策区間において収納し、所定の配策経路に沿った姿勢に案内するプロテクタも知られている。
【０００３】
この種のプロテクタとしては、例えば数十本の電線群を１本に束ねた状態にすると、電線箱を装着した状態で車両に搭載するスペースが不足することから、電線束を３本に分けて電線束の直径を小さくし、それぞれの電線束の特定箇所を電線箱の底部にバンド固定して、３本の電線束を重ねず並列させるものがある（例えば、特許文献１参照）。
【先行技術文献】
【特許文献】
【０００４】
【特許文献１】特開２０１３−２１５０３５号公報
【発明の概要】
【発明が解決しようとする課題】
【０００５】
しかしながら、上述のような従来の電線箱等のプロテクタにあっては、電線収納部分の厚さ（全高）が、高さ方向における電線束の直径に加えて、プロテクタ等のケースの底部および蓋部の板厚と、それら底部および蓋部側に及ぶ結束バンドの厚さとを含んだものとなり、厚くなっていた。そのため、特にプロテクタがワイヤハーネスを収納する区間が長い場合に、ワイヤハーネスの設置スペースを抑えることができなかった。
【０００６】
特に、電線群が高圧ケーブル等の太物である場合、曲げ剛性の高い電線群をプロテクタによって所定の配索経路に沿うように案内する必要から、プロテクタの厚さ方向の曲げ剛性を大きくする必要がある。そればかりか、曲げ剛性の高い電線群を所定の経路に配策するように経路規制する作業の作業性の面から、配策経路の一部区間内でプロテクタと電線群の間に若干スペースが要求される場合もある。そのため、電線群が太物である場合、プロテクタの電線収納部分の厚さが非常に大きくなってしまい、プロテクタを装着したワイヤハーネスの配索の自由度が低下したり、プロテクタの剛性不足のために所要の配策姿勢に案内（経路規制）できなくなったりしてしまうという問題があった。
【０００７】
そこで、本発明は、プロテクタの厚さ方向の曲げ剛性を低下させることなく、電線収納部分におけるプロテクタの高さを削減し、太物の線材を収納する場合でも、ハーネスの配索の自由度を十分に確保しつつ所要の配策経路に確実に案内できるプロテクタを提供することを目的とする。
【課題を解決するための手段】
【０００８】
本発明に係るプロテクタは、上記目的達成のため、ハーネスを構成する線材の収納が可能な凹部を形成するプロテクタ本体を備えるプロテクタであって、前記プロテクタ本体に、前記凹部の内底面に対し凹状をなすとともに前記線材の長さ方向に延びる溝部分と、前記凹部の内底面に対し前記線材側に突出するとともに前記線材の長さ方向に延びるリブ部分とを形成している。
【０００９】
この構成により、プロテクタ本体の凹部の内底面側に溝部分を形成しながらもリブ部分によって所要の剛性を確保でき、プロテクタの厚さ方向の曲げ剛性を低下させることなく、電線収納部分におけるプロテクタの高さを有効に削減可能となる。しかも、線材の長さ方向に延びる溝部分およびリブ部分に線材の案内機能を持たせることができ、ハーネスの線材を所要の配策経路に確実に案内できるものとなる。
【００１０】
本発明のプロテクタにおいては、前記リブ部分が、前記プロテクタ本体の前記凹部内で前記溝部分を間に挟んで並列するとともに、前記線材の直径に相当する距離を隔てて互いに離間する一対の線材案内面を有しているのがよい。
【００１１】
このようにすると、プロテクタ本体によるハーネスの線材の案内機能を高めることができ、線材を所要の配策経路により確実に案内できるものとなる。
【００１２】
本発明のプロテクタにおいては、前記プロテクタ本体が、前記凹部の内底面を形成する底壁部を有しており、前記底壁部には、前記溝部分および前記リブ部分を間に挟んで前記凹部の前記内底面に両端を開口させるとともに、前記溝部分および前記リブ部分より前記外底面側で前記溝部分および前記リブ部分に対し交差する方向に延びる結束部材挿通路が形成されていてもよい。
【００１３】
この場合、結束部材挿通路に結束部材を挿通させて線材をプロテクタ本体に結束でき、ハーネスの線材の姿勢をプロテクタによって所要の配索姿勢に確実に規制できる。
【００１４】
本発明のプロテクタにおいては、前記プロテクタ本体の前記凹部が前記線材の長さ方向に延在するとともに、前記溝部分および前記リブ部分が、前記プロテクタ本体の延在方向における少なくとも一部の長さ領域内に前記延在方向に対し平行に形成されていてもよい。
【００１５】
この構成により、ハーネスの配索経路中で設置スペースに余裕のない区間に対応して前記少なくとも一部の長さ領域を設定し、設置スペースに余裕のない区間内でプロテクタの高さを的確に削減可能となる。なお、前記内底面からの前記リブ部分の突出高さは、前記線材の半径程度であるとよい。
【発明の効果】
【００１６】
本発明によれば、プロテクタの厚さ方向の曲げ剛性を低下させることなく、電線収納部分におけるプロテクタの高さを削減し、太物の線材を収納する場合でも、ハーネスの配索の自由度を十分に確保しつつ所要の配策経路に確実に案内できるプロテクタを提供することができる。
【図面の簡単な説明】
【００１７】
【図１】本発明の第１の実施の形態に係るプロテクタの線材装着状態における要部の横断面図である。
【図２】本発明の第１の実施の形態に係るプロテクタのプロテクタ本体の一端部を示す部分外観斜視図である。
【図３】本発明の第１の実施の形態に係るプロテクタの線材結束位置における横断面図である。
【図４】（ａ）は、図３に示すプロテクタにおけるプロテクタ本体の要部上面図であり、（ｂ）は、図３に示すプロテクタにおけるプロテクタ本体の要部下面図である。
【図５】（ａ）は、本発明の第１の実施の形態に係るプロテクタの線材装着状態における蓋側から見た外観斜視図であり、（ｂ）は、同プロテクタのプロテクタ本体の底壁部側から見た外観斜視図である。
【図６】（ａ）は、本発明の第１の実施の形態に係るプロテクタの線材装着状態における線材固定部位を示す蓋部材側から見た斜視断面図であり、（ｂ）は、同線材固定部位をプロテクタ本体の底壁部側から見た斜視断面図である。
【図７】比較例のプロテクタの線材装着状態における要部横断面図である。
【図８】比較例のプロテクタの線材装着状態における要部縦断面図である。
【図９】本発明の第２の実施の形態に係るプロテクタの要部の横断面図である。
【発明を実施するための形態】
【００１８】
以下、本発明を実施するための形態について図面を参照して説明する。
【００１９】
（第１の実施の形態）
図１および図２に本発明の第１の実施の形態に係るプロテクタを示している。
【００２０】
本実施形態のプロテクタ１０は、車両に搭載されるワイヤハーネスの電線群Ｗ（線材）を、その配索経路における所定区間内で収納し保護するようになっている。
【００２１】
電線群Ｗは、例えば車両に搭載される電動機その他の機器への電力供給用の電線、すなわち電源線を含む比較的高曲げ剛性のものである。具体的には、電線群Ｗは、例えば良好な電気接続性と高導電率特性を有する複数の導体線を円形圧縮等により一体的に束ねた導体１と、導体１を同心的に取り囲む電気絶縁性の被覆２とを含んで構成されている。
【００２２】
本実施形態のプロテクタ１０は、ワイヤハーネスを構成する電線群Ｗ（線材）の収納が可能な凹部１１を形成するプロテクタ本体１２と、凹部１１の開口側（図１中の上方側）に開閉可能に配置された蓋部材１３とを備えている。
【００２３】
プロテクタ１０のプロテクタ本体１２は、例えばその厚さ方向および幅方向に屈曲または湾曲しており、蓋部材１３は、例えばプロテクタ本体１２の両側壁１２ａ、１２ｂのそれぞれに対して、図示しない公知のスナップロック式の係止爪等によってロック可能に結合するようになっている。
【００２４】
なお、プロテクタ本体１２と蓋部材１３の結合方式や蓋部材１３の開閉の方式は特に限定されるものではなく、従来の任意の方式のものを採用できるが、プロテクタ１０が概ね平坦であれば、蓋部材１３は、プロテクタ本体１２の両側壁１２ａ、１２ｂ（図１参照）のうち一方にヒンジ結合され、両側壁１２ａ、１２ｂのうち他方に対しロック可能に結合するものであってもよい。
【００２５】
プロテクタ本体１２は、全体として溝状の凹部１１を形成する所定長さの樹脂（合成樹脂）製のものであり、その横断面が略Ｕ字形状の凹形状をなしている。また、蓋部材１３は、プロテクタ本体１２の側壁１２ａ、１２ｂ（図５参照）によって閉蓋状態に支持され得る所定長さの樹脂製の板状体であり、プロテクタ本体１２と略同一幅を有している。ここにいう樹脂は、例えばポリプロピレンまたはポリアミド樹脂である。
【００２６】
プロテクタ１０は、これらプロテクタ本体１２および蓋部材１３により、全体として略長方形の横断面となる筒状に構成されている。
【００２７】
そして、図１に示すように、プロテクタ本体１２には、互いに平行に延在する複数、例えば２本（２束）の電線群Ｗが収納されている。
【００２８】
これら電線群Ｗは、プロテクタ本体１２内に収納される際にその屈曲または湾曲形状に応じて曲げられ、プロテクタ本体１２が装着される配索経路の所定区間における所定の配索姿勢が設定されるようになっている。
【００２９】
そのために、プロテクタ本体１２および蓋部材１３は、図５および図６に示すように、それぞれ電線群Ｗの配索経路の所定区間内での形状に対応して屈曲または湾曲している。
【００３０】
さらに、比較的高曲げ剛性の電線群Ｗを所定の配索姿勢に規制しつつ設置スペースを抑えるために、プロテクタ本体１２には、少なくとも電線群Ｗの配索経路が屈曲する曲げ区間Ｚ１の前後、すなわち、比較的真っ直ぐな非曲げ区間Ｚ２と曲げ区間Ｚ１との接続部分に位置するように、それぞれ複数の電線結束部位２１、２２が設けられている。
【００３１】
そして、２本の電線群Ｗは、複数の電線結束部位２１、２２のそれぞれに係合する複数の結束バンド２３（結束部材）によって、それぞれ複数箇所でプロテクタ本体１２に対し結束されて固定され、所定の配索姿勢に保持されている。また、図３に示すように、蓋部材１３には、プロテクタ本体１２の電線結束部位２１、２２に近接し、それぞれ凹部１１に対向しつつ結束バンド２３の一部を収納する略長方形の複数の結束バンド逃げ孔３１、３２（結束部材逃げ部）が形成されている。
【００３２】
図３に示すように、結束バンド２３は、片面側に図示しないセレーション状の凹凸が形成された帯状のバンド部２３ａと、このバンド部２３ａが先端側から挿入されたとき前記セレーション状の凹凸に係合する図示しないロック爪を内蔵するロック部２３ｂとを有している。そして、ロック部２３ｂにバンド部２３ａが挿入されたとき、ロック部２３ｂによってバンド部２３ａがその先端からの挿入深さ位置で抜け止め可能に、かつ、より深く挿入可能に係止されるようになっている。
【００３３】
結束バンド２３のバンド部２３ａの厚さｔｂは、プロテクタ本体１２の底壁部２５の厚さｔｐおよび蓋部材１３の厚さｔｖのいずれよりも薄くなっている（ｔｂ＜ｔｐ、かつ、ｔｂ＜ｔｖ）。なお、結束バンド２３は、公知の他の結束バンドでもよいし、バンドでなく線状の結束部材でもよい。
【００３４】
一方、図１ないし図３に示すように、プロテクタ本体１２の凹部１１内には、少なくとも各電線結束部位２１、２２を含む所定領域にわたって、例えばプロテクタ本体１２の全長にわたって、側壁１２ａ、１２ｂから離間しつつ底壁部２５の上面２５ａから凹部１１内に突出高さｈｆだけ突出する各一対の平行な縦リブ２６が設けられている。
【００３５】
また、プロテクタ本体１２の凹部１１内の各一対の縦リブ２６の間には、少なくとも各電線結束部位２１、２２を含む所定領域にわたって、例えばプロテクタ本体１２の全長にわたって縦溝２８が形成されている。さらに、蓋部材１３には、プロテクタ本体１２の複数の縦溝２８に対し図２中の上下に対向するように、複数の蓋側縦溝３８が、縦溝２８と同様な横断面形状で形成されている。
【００３６】
プロテクタ本体１２の底壁部２５において、縦溝２８は、底壁部２５の上面２５ａに対して凹状をなすとともに電線群Ｗの長さ方向に延びる溝部分となっており、縦溝２８を間に挟んで隣り合うように並列する各一対の縦リブ２６は、底壁部２５の上面２５ａから電線群Ｗ側に突出するとともに電線群Ｗの長さ方向に延びるリブ部分となっている。
【００３７】
また、縦溝２８を挟んで隣り合う各一対の縦リブ２６は、電線群Ｗの径方向である図１中の左右方向に電線群Ｗの直径相当の所定の離間距離を隔てており、互いに対向する片面側にそれぞれ電線群Ｗに当接可能な一対の線材案内面２６ａ、２６ｂを形成している。
【００３８】
底壁部２５の上面２５ａからの各縦リブ２６部分の突出高さｈｆは、電線群Ｗの半径程度に設定されるのが好ましいが、電線群Ｗの形態に応じて、プロテクタ本体１２の凹部１１の深さｈｃ以下の範囲内で任意に設定できる。
【００３９】
さらに、各電線結束部位２１、２２においては、縦リブ２６の基端側（図３中で下面側）であって底壁部２５の厚さｔｐ（図１参照）の範囲内に、結束バンド２３より幅が広い挿通路２７（結束部材挿通路）が形成されており、その挿通路２７（結束部材挿通路）内に結束バンド２３のバンド部２３ａが挿通されている。
【００４０】
具体的には、図３および図４（ａ）に示すように、各一対の縦リブ２６は、その基端側で縦溝２８を形成する底壁部２５の内壁面側部分２５ｃに一体に連結されており、挿通路２７は、各電線結束部位２１、２２において底壁部２５の内壁面側部分２５ｃの外面側（底壁部２５の外底面２５ｂ側）に位置している。
【００４１】
各挿通路２７の両端は、各縦溝２８およびその両側の各一対の縦リブ２６を間に挟んで、電線群Ｗの径方向の両側で、底壁部２５の上面２５ａ（凹部１１の内底面）に開口している。さらに、図３および図４（ｂ）に示すように、挿通路２７は、縦リブ２６の基端側で電線群Ｗの軸線方向と直交（交差）する方向に延在しつつ、底壁部２５の下面２５ｂ側に略長方形の開口を形成している。
【００４２】
そして、この挿通路２７に挿通された結束バンド２３によって、電線群Ｗが縦リブ２６と一体に結束され、縦リブ２６を介してプロテクタ本体１２に固定されている。なお、底壁部２５の上面２５ａにおける挿通路２７の両端の開口は、それぞれ略長方形で、短径が結束バンド２３のロック部２３ｂより小径になっている。よって、結束バンド２３のロック部２３ｂは、挿通路２７に入ることはなく、プロテクタ本体１２の凹部１１内に配置される。挿通路２７と縦溝２８が底部側で連通し、挿通路２７内で底壁部２５の内壁面側部分２５ｃが両持ち支持された左右一対の平行片部に分割されてもよい。
【００４３】
各一対の縦リブ２６の対向する線材案内面２６ａ、２６ｂは、それぞれ電線群Ｗに当接するよう、図中では底壁部２５の上面２５ａに対し垂直に形成されている。ただし、各一対の縦リブ２６の線材案内面２６ａ、２６ｂは、縦溝２８の内壁面と同じ傾斜方向となるよう、電線群Ｗの横断面形状に応じて互いに逆方向に傾斜してもよい。
【００４４】
前述のように、本実施形態では、プロテクタ１０が厚さ方向に屈曲しつつ電線群Ｗの電線の長さ方向に延在するとともに、各縦溝２８および各一対の縦リブ２６が、プロテクタ本体１２の延在方向において電線結束部位２１、２２を含む少なくとも一部の長さ領域内に、プロテクタ１０の延在方向に対し平行に形成されている。また、蓋部材１３の蓋側縦溝３８も、プロテクタ１０の延在方向に対し平行に形成されている。
【００４５】
ただし、これら縦溝２８および縦リブ２６等の延在方向は、プロテクタ１０や凹部１１の延在方向と必ずしも平行でなくてもよい。また、各一対の縦リブ２６の高さやそれらの線材案内面２６ａ、２６ｂの傾斜角、縦溝２８および蓋側縦溝３８の深さ等も、電線結束部位２１、２２の近傍であるか否か、曲げ区間Ｚ１および非曲げ区間Ｚ２のいずれかであるか等によって、適宜相違させてもよい。
【００４６】
各一対の縦リブ２６は、底壁部２５の上面２５ａからの突出高さｈｆが同一となっているが、片側を高くしてもよい。また、挿通路２７内の結束バンド２３が巻き掛かる底壁部２５の内壁面側部分２５ｃや一対の縦リブ２６の角部を面取りしてもよい。
【００４７】
蓋部材１３に略長方形に形成される複数の結束バンド逃げ孔３１、３２の長さＬａは、図中ではプロテクタ本体１２に形成される挿通路２７の長さＬｂより短くなっているが、挿通路２７の長さＬｂより長くてもよい。
【００４８】
次に、作用について説明する。
【００４９】
上述のように構成された本実施形態のプロテクタ１０の組み立て時には、まず、プロテクタ本体１２の凹部１１内に複数の電線群Ｗを収納する。その際、各一対の縦リブ２６の間に各電線群Ｗを嵌め込み、各電線群Ｗの一部を底壁部２５の上面２５ａより凹部１１の内奥側の縦溝２８内に収納する。
【００５０】
次いで、プロテクタ本体１２の底壁部２５の厚さｔｐの範囲内に形成された挿通路２７に結束バンド２３を通し、その結束バンド２３により、ワイヤハーネスの電線群Ｗを底壁部２５の内壁面側部分２５ｃおよび一対の縦リブ２６と共に結束して、プロテクタ本体１２に固定する。結束バンド２３のロック部２３ｂは、凹部１１内に位置させる。
【００５１】
このとき、各電線群Ｗは縦溝２８内に確実に入り込む。また、結束バンド２３が挿通路２７内に入り込み、プロテクタ本体１２の底壁部２５から下方に突出することがない。
【００５２】
次いで、プロテクタ本体１２の開口端側を閉塞するように蓋部材１３をプロテクタ本体１２に取り付け、筒状のプロテクタ１０とする。
【００５３】
このとき、電線群Ｗの上部が蓋側縦溝３８内に入り込むとともに、電線群Ｗに巻き掛けられた結束バンド２３の一部が結束バンド逃げ孔３１、３２内に収納される。
【００５４】
このようにして組み立てられた本実施形態のプロテクタ１０では、電線群Ｗが図１中の上下両側でプロテクタ本体１２の縦溝２８および蓋部材１３の蓋側縦溝３８内に収納されるので、縦溝２８および蓋側縦溝３８の深さ分だけプロテクタ１０の高さを縮小できることになる。さらに、挿通路２７および結束バンド逃げ孔３１、３２によって、結束バンド２３の厚さｔｂの２倍分だけ、プロテクタ１０の高さを縮小できることになる。
【００５５】
また、本実施形態では、プロテクタ本体１２の凹部１１の内底面側に複数の縦溝２８が形成され、蓋部材１３に複数の結束バンド逃げ孔３１、３２が形成されるものの、各縦溝２８の両側の各一対の縦リブ２６によってプロテクタ本体１２の剛性、特に厚さ方向の曲げ剛性が十分に高められている。したがって、プロテクタ１０の剛性を低下させることなく、電線収納部分におけるプロテクタ１０の高さを有効に削減可能となる。
【００５６】
しかも、縦リブ２６が、プロテクタ本体１２の凹部１１内で縦溝２８を間に挟んで並列するとともに、電線群Ｗの直径に相当する距離を隔てて対向する一対の線材案内面２６ａ、２６ｂを有するので、プロテクタ本体１２による電線群Ｗの案内機能を高めることができる。よって、ワイヤハーネスの電線群Ｗを所要の配策経路に確実に案内できる。
【００５７】
さらに、挿通路２７に結束部材を挿通させて電線群Ｗをプロテクタ本体１２に結束でき、ワイヤハーネスの電線群Ｗの姿勢をプロテクタ１０によって所要の配索姿勢に確実に規制することができる。
【００５８】
加えて、縦溝２８および縦リブ２６が、プロテクタ本体１２の延在方向で線材結束部位２１、２２の近傍を含む少なくとも一部の長さ領域内に、特に設置スペースに余裕のない区間内にプロテクタ１０の延在方向に対し平行に形成されるので、設置スペースに余裕のない配策区間内でプロテクタ１０の高さを的確に削減することが可能となる。
【００５９】
また、本実施形態では、縦リブ２６と挿通路２７を形成する底壁部２５とが上下方向にずれているので、結束バンド２３の先端を挿通路２７の両端の開口に容易に挿入でき、結束バンド２３の挿通作業および結束バンド２３による電線群Ｗの結束作業が容易となる。
【００６０】
このように、本実施形態においては、電線収納部分におけるプロテクタ１０の高さを削減し、太物の電線群Ｗを収納する場合でも、ワイヤハーネスの電線群Ｗの配索の自由度を十分に確保しつつ電線群Ｗを所要の配策経路に確実に案内できるプロテクタ１０を提供することができる。
【００６１】
（比較例）
以上のような本発明の作用効果をより明確にすべく、図７および図８に比較例を示す。なお、以下の説明では、第１の実施の形態と同一または類似する構成については図１ないし図６に示した第１の実施の形態中の対応する構成要素の符号を用いつつ、第１の実施の形態との相違点について説明する。
【００６２】
比較例のプロテクタ１１０は、第１の実施の形態におけるプロテクタ本体１２のように内底面から突出する結束用の固定片を有するものではなく、内底面が概ね平坦なもので、プロテクタ本体１１２の底壁部１２５に電線群Ｗが２箇所で貫通するバンド挿通孔１２７ａ、１２７ｂを有している。また、蓋部材１１３には、上述の第１の実施の形態における結束バンド逃げ孔３１、３２のような結束部材逃げ部は形成されていない。
【００６３】
この場合、電線群Ｗの収納および結束形態は、上述の特許文献１に記載されるようなプロテクタでの形態に近いものとなり、プロテクタ本体１１２の底壁部１２５の下面１２５ｂから結束バンド２３がバンド部２３ａの厚さｔｂ分だけ突出するものとなっている。また、プロテクタ本体１１２の凹部１１１の深さｈｄが、電線群Ｗの仮想直径に相当する上述の第１の実施の形態におけるプロテクタ本体１２の凹部１１の深さｈｃより結束バンド２３のバンド部２３ａの厚さｔｂ分だけ大きくなっている。
【００６４】
そればかりか、電線群Ｗをプロテクタ本体１１２の底壁部１２５に結束するためのバンド挿通孔１２７ａ、１２７ｂが電線群Ｗの背面側で底壁部１２５の上面１２５ａ上に開口するため、バンド挿通孔１２７ａ、１２７ｂに結束バンド２３を通す作業が容易でなく、作業性を良くするためにプロテクタ１１０と電線群Ｗの間に図８に示すような厚さ方向の隙間ｇを形成する必要も生じ易くなる。
【００６５】
よって、上述の第１の実施の形態のプロテクタ１０は、比較例のプロテクタ１１０よりも少なくとも結束バンド２３のバンド部２３ａの厚さｔｂの２倍分だけ薄くできることにがわかる。
【００６６】
（第２の実施の形態）
図９は、本発明の第２の実施の形態に係るプロテクタを示している。
【００６７】
本実施形態においては、第１の実施の形態と同様に、プロテクタ本体１２の各電線結束部位２１、２２において、凹部１１の内底面である底壁部２５の上面２５ａに対し凹状をなす複数の縦溝２８と、プロテクタ本体１２の底壁部２５の上面２５ａから凹部１１内に突出高さｈｆだけ突出する複数対の縦リブ２６と、が設けられている。また、蓋部材１３には、複数の縦溝２８に対向する蓋側縦溝３８が形成されている。
【００６８】
そして、各一対の縦リブ２６の線材案内面２６ａ、２６ｂが電線群Ｗに当接する状態で、各電線群Ｗが下方側へ縦溝２８に、上方側では蓋側縦溝３８内に収納されている。
【００６９】
加えて、各一対の縦リブ２６の基端側（図９中で下方側）であって底壁部２５の厚さｔｐの範囲内には挿通路２７が形成され、挿通路２７に挿通された結束バンド２３により、電線群Ｗが一対の縦リブ２６と共に結束され、プロテクタ本体１２に固定されている。
【００７０】
本実施形態では、プロテクタ本体１２に取り付けられる蓋部材１３が、複数の結束バンド逃げ孔３１、３２をその外表面に開口させるものではなく、凹部１１に対向しつつ結束バンド２３の一部を収納する蓋側拡張凹部３９を有している。
【００７１】
蓋側拡張凹部３９は、その内奥面が蓋側縦溝３８の内奥面と相似形をなす円弧断面形状をなすように、蓋側縦溝３８の一部を各電線結束部位２１、２２において幅方向および深さ方向に広げてその断面積を大きくした結束部材逃げ部である。
【００７２】
図９に仮想線で示すように、蓋側拡張凹部３９は、各電線結束部位２１、２２において電線群Ｗをプロテクタ本体１２に結束し固定する結束バンド２３の一部が、蓋部材１３に対し蓋側縦溝３８より深く入り込む部分を収納することができる。
【００７３】
本実施形態においても、第１の実施の形態と同様な効果を得ることができる。
【００７４】
しかも、本実施形態では、蓋部材１３がその内面側で凹状をなす蓋側拡張凹部３９を有しているので、蓋部材１３の外表面に開口を形成せずに済むという利点がある。
【００７５】
なお、上述の各実施の形態では、プロテクタ１０は、蓋部材１３を有していたが、本発明は蓋部材を有していない場合にも適用可能である。また、上述の各実施形態では、プロテクタ１０が厚さ方向に屈曲するものとして例示したが、同一平面上で幅方向に湾曲してもよいし、捩れ方向に傾斜してもよい。
【００７６】
また、縦リブ２６は、いずれも底壁部２５からの突出高さの各位置で一定幅としたが、突出高さ位置に応じて幅を変化させてもよい。また、複数の縦リブ２６の突出高さｈｆや縦溝２８および蓋側縦溝３８の溝深さを、配索経路中の設置スペースの余裕度合いに応じて適宜相違させてもよい。
【００７７】
また、上述の各実施形態では、線材をワイヤハーネスの電線群（電線束）としたが、本発明にいう線材は、光ハーネスの線材群等のような電線以外の線材を含み得るものであり、線材が複数の電線でなく単線の電線等であってもよい。
【００７８】
以上説明したように、本発明は、電線収納部分におけるプロテクタの高さを削減し、太物の線材を収納する場合でも、ハーネスの配索の自由度を十分に確保しつつ所要の配策経路に確実に案内できるプロテクタを提供することができるものである。かかる本発明は、ハーネスを構成する線材を収納し保護するプロテクタ、特に電源線等のように比較的高曲げ剛性の線材を収納し保護するプロテクタ全般に有用である。
【符号の説明】
【００７９】
１０  プロテクタ
１１  凹部
１２  プロテクタ本体
１２ａ、１２ｂ  側壁
１３  蓋部材
２１、２２  電線結束部位
２３  結束バンド（結束部材）
２５  底壁部
２５ａ  上面（凹部の内底面）
２５ｂ  下面（外底面）
２６  縦リブ（リブ部分）
２６ａ、２６ｂ  線材案内面
２７  挿通路（結束部材挿通路）
２８  縦溝（溝部分）
３１、３２  結束バンド逃げ孔（結束部材逃げ部）
３８  蓋側縦溝
３９  蓋側拡張凹部（結束部材逃げ部）
Ｗ  電線群
Ｚ１  曲げ区間
Ｚ２  非曲げ区間
【図１】
2016046943.tif 000003
【図２】
2016046943.tif 000004
【図３】
2016046943.tif 000005
【図４】
2016046943.tif 000006
【図５】
2016046943.tif 000007
【図６】
2016046943.tif 000008
【図７】
2016046943.tif 000009
【図８】
2016046943.tif 000010
【図９】
2016046943.tif 000011